(57)【要約】      （修正有）【課題】アイアン及びウッドヘッドとパターヘッド間の衝突が防止されクラブヘッドの損傷と騒音発生が防止されたゴルフバッグのパター専用立て及びパター専用立てが装着されたゴルフバッグを提供する。【解決手段】区画壁によって区画された空間部に差し込まれる大きさを有し、その中に挿入穴が形成されて上記挿入穴の内側面には掛止突条が形成された固定具と上記挿入穴に自由に挿入されて上下する形状及び大きさの管体として外側面に等間隔に多数個の掛止凹部が円筒面に沿って丸く形成されたパター立て管で構成されて、パター立て管が固定具の挿入穴に差し込まれて掛止突条と掛止凹部の締結によって高さが調節されるべく設置されたパター専用立て及び該パター専用立てが装着されたゴルフバッグである。【選択図】図１
2007236487.tif 000002
【特許請求の範囲】
【請求項１】
区画壁（５）によって区画された空間部に差し込まれる大きさを有し、中に挿入穴（９）が形成され該挿入穴（９）の内側面に掛止突条（１０）が形成された固定具（１１）と該挿入穴（９）に挿入されて昇降する形及び大きさの管体として外側面に等間隔で多数個の掛止凹部（１２）が円筒面に沿って丸く形成されたパター立て管（１３）とで構成され、パター立て管（１３）が固定具（１１）の挿入穴（９）に差し込まれて掛止突条（１０）と掛止凹部（１２）の締結によって高さが調節されるように設置されることを特徴とするパター専用立て。
【請求項２】
前記固定具（１１）に多数個の締結穴（１４）が形成され、該締結穴（１４）に結結される締結具（１５）によって区画壁（５）に固定設置される請求項１記載のパター専用立て。
【請求項３】
前記固定具（１１）に区画壁（５）を圧持する固定クリップ（１６）が設置された請求項１記載のパター専用立て。
【請求項４】
前記パター立て管（１３）の上下端部に、該パター立て管（１３）が固定具（１１）の挿入穴（９）から容易に抜けないように掛止突条顎（１７）が外側面に突出するように環設されてなる請求項１記載のパター専用立て。
【請求項５】
上下段周縁部を形成する上部基台（１）と下部基台（２）が上下段に付着された筒体としての本体フレーム（３）と、上記本体フレームの外部をくるむ外部カバー（４）と上記上部基台（１）の内側に多数個の空間部に区画する区画壁（５）を含めて構成されたゴルフバッグ（１００）において、中に挿入穴（９）が形成されて、該挿入穴（９）の内側面には掛止突条（１０）が形成された固定具（１１）が上記の区画壁（５）に固定設置され、外側面に等間隔に多数個の掛止凹部（１２）が円筒面に沿って丸く形成されたパター立て管（１３）が上記固定具（１１）の挿入穴（９）に差し込まれて掛止突条（１０）と掛止凹部（１２）の締結によって高さが調節されるように設置されることを特徴とするパター専用立てが装着されたゴルフバッグ。
【発明の詳細な説明】
【技術分野】
【０００１】
本発明はゴルフバッグのパター専用立て及びパター専用立てが装着されたゴルフバッグに関し、さらに詳しくはゴルフバッグにウッド、パター、アイアン等のゴルフクラブがお互いに接しなくなるように横縦方向の区画壁によって区画されたゴルフクラブの受納部の一部空間に高さ調節が出来るように装着して、低い位置のアイアンヘッドと、高い位置のウッドヘッドの間の空間にパターヘッドが位置するようにするもので、多数のゴルフクラブが余裕をもって安定してゴルフバッグに収納され、アイアン及びウッドヘッドとパターヘッド間の衝突が防止されクラブヘッドの損傷と騒音発生が防止されたゴルフバッグのパター専用立て、及び該パター専用立てが装着されたゴルフバッグに関するものである。
【背景技術】
【０００２】
ゴルフクラブは一般的にヘッドの形と材質によってウッド、パター、アイアン等に区分され、上記の各々は競技状況とかユーザーの身体条件に合うように一定範囲から多様な長さに製作されて使用される。
このようなゴルフクラブは普通３個のウッド、９〜１０個のアイアン、パターを一つのセットにしてゴルフバッグに一括して収納される。
ゴルフバッグは、上下段周縁部を形成する上部基台と下部基台が上下段に付着された筒体としての本体フレームと、上記本体フレームの外部をくるむ外部カバーと、上記上部基台の内部に多数個の空間部に区画する区画壁が設置された構造になっている。
本体フレームはゴルフクラブの長さより短くできているので、これに収納されたゴルフクラブのヘッドは上部基台の外に突出する。
【０００３】
ここで、ゴルフクラブ中ウッドの長さはアイアンやパターに比べてずっと長く、パターの長さはアイアンより短いが、ウッドとアイアンは大きく区画壁で区画された収納カラムに分けて収納され、アイアンより短いパターはウッドとアイアンの収納カラムの中適当な空間に収納されるが、この時パターは長さが短くて普通手持ち、即ちグリップがゴルフバッグの内底面に触れなくて、パターヘッドは区画壁にまたがる状態で適当な空間で不安定に収納されるので、他のアイアンと摩擦し衝突して他のクラブヘッドにスクラッチを発生させる等によりクラブの寿命を短縮させるようになる。
また、一定の支持空間がないのでパターの収納が容易ではない等の多くの不便がある。
特に,最近はパターのヘッドが非常に大きいツーボール（two ball）パターがはやっているが、このパターはヘッドの大きさが従来のパターより２倍以上大きく広くなっているので、ゴルフバッグに収納する時さらに多きな空間を占め、アイアンとより多くの衝突が発生するようになる等使用上様々の問題点があった。
【発明の開示】
【発明が解決しようとする課題】
【０００４】
本発明の目的は、上記の問題点を解消するために、ゴルフバッグの区画壁により区画された上部基台の一部空間部に簡単に設けて、低い位置のアイアンヘッドと、高い位置のウッドヘッドの間の空間にパターヘッドが位置するようにすることで、多くのゴルフクラブが余裕をもって安定して収納され、アイアンヘッドとパターヘッド間の衝突が防止でき、クラブヘッドの損傷と騒音発生を防止できるパター専用立てを提供することである。
本発明の他の目的は、パター専用立てのパター立て管を高く調節が出来るように構成して収納されるパターのヘッド高さを自由に調節するようにすることで、ゴルフクラブの長さ又はゴルフバッグの大きさに合せて便利に使うことが出来るようにすることである。
本発明の他の目的は、上記のパター専用立てが装着されたゴルフバッグを提供することである。
【課題を解決するための手段】
【０００５】
以下、本発明の構成及び作用を添付図面に基づいて詳しく説明する。
本発明によるパター専用立て（５０）は上下段周縁部を形成する上部基台（１）と下部基台（２）が上下段に付着された筒体としての本体フレーム（３)と、上記本体フレーム（３）の外部をくるむ外部カバー（４）と、上記上部基台（１）の内側に多数個の空間部に区画する区画壁（５）を含めて構成されたゴルフバッグ（１００）の収納空間をより有用に分割して使うように構成されている。
【０００６】
即ち、ウッド（６）とアイアン（７）及びパター（８）のヘッドがお互いに分割された空間に位置されるようにするためにパター（８）のヘッドをウッド（６）とアイアン（７）のヘッドが位置する空間の間の部分に位置するようにすることにその特徴がある。
このために本発明は、区画壁（５）によって区画された空間部に差し込まれる大きさを有し、中に挿入穴（９）が形成されて、上記挿入穴（９）の内側面には掛止突条（１０）が形成された固定具（１１）と上記挿入穴（９）に自由に挿入されて昇降する形状及び大きさの管体として外側面に等間隔で多数個の掛止凹部（１２）が円筒面に沿って丸く形成されたパター立て管（１３）で構成されて、パター立て管（１３）が固定具（１１）の挿入穴（９）に差し込まれて掛止突条（１０）と掛止凹部（１２）の締結によって高さが調節されることに特徴がある。
【０００７】
上記の固定具（１１）は多様な実施例を持つが、ゴルフバッグ（１００）に固定式で設置される実施例と、既存のゴルフバッグ（１００）に簡単に組み付けて使うことができる例などがある。
【０００８】
先ず、ゴルフバッグ（１００）に固定されて使用される例としては、図３と図４に図示されるように固定具（１１）に多数個の締結穴（１４）が形成されて、上記固定具（１１）が設置される区画壁（５）にも多数個の締結穴（１４)が形成されて、上記固定具（１１）の締結穴（１４）と区画壁（５）の締結穴（１４）に締結具（１５）が差し込まれて固定具（１１）が区画壁（５）に固定された構造である。
それから、既存のゴルフバッグ（１００）に脱着式で簡単に設ける構造としては、図５と図６に図示されたように一緒に固定具（１１）に区画壁（５）を圧持する固定クリップ（１６）が設置された構造である。
【０００９】
また、本発明でのパター立て管（１３）は長い管体であり、その上下端部には掛止突条顎（１７）が外側面に突出されるように環設されてパター立て管（１３）が固定具（１１）の挿入穴（９）から容易に抜けなくなるように、その高さを自由に調節して使うことができる構造である。
【００１０】
以上のような構造を持った本発明について、固定式のパター専用立て（５０）である図３と図４の実施例に伴い、作用を説明する。
先ず本発明の固定式のものは固定具（１１）が区画壁（５）に堅固に固定された形式であるので、締結具（１５）を利用して堅固に固定される構造である。即ち、スクリューとかボルトと同じ構造になった締結具（１５）が区画壁（５）の締結穴（１４）を貫通し、雌ネジが形成された固定具（１１）の締結穴（１４)に結ばれる構造として、締結具（１５）の脱去のための別途の工具なしには容易に固定具（１１）を脱去できない構造である。
【００１１】
ここで区画壁（５）は上部基台（１）の内部空間を多数個に区画してゴルフクラブの種類別で収納するようにすることで区画壁（５）によって多数の空間に区分される。従って、固定具（１１）は区画された空間の一部分に挿入されて、区画壁（５）を利用して固定されるが、上部基台（１）の中間部分に形成された空間部に位置するのが望ましい。 即ち、本発明のパター専用立て（５０）はウッド（６）とアイアン（７）の中間部分に位置させて大きい背のウッド（６）と小さな背のアイアン（７）の間に置くのが適当である。
【００１２】
このように空間をゴルフクラブの長さによって区画するのは図１に図示されたように効率的に空間を利用することを目的としている。即ち、相対的に長さが大きいウッド（６）と長さが小さなアイアン（７）は長さの違いによって各々の区画壁（５）によって分割された空間に収納された場合、ヘッド同士が突き当たる場合がないが、長さが短いパター（８）が収納空間に収納された場合、パター（８）のヘッドは区画壁（５）にかけられているようになるが、この場合はパター（８）のヘッドがアイアン（７）のヘッドと突き当たる問題点があることになる。
【００１３】
従って、本発明はパター（８）のヘッドが位置する空間部をウッド（６）のヘッドとアイアン（７）のヘッドが位置する空間を避けてその間にくるようにすることで、ヘッド同士の摩擦が防げるようになる。
【００１４】
このために本発明はパター（８）ヘッドの位置を高めるようにするパター専用立て（５０）が設置されるが、特にパター専用立て（５０）のパター立て管（１３）は上下に移動する構造になっていて適切な高さにパター（８）のヘッドが位置するようにすることができる。
即ち、図４に図示されたようにパター立て管（１３）の外側面には掛止凹部（１２）が形成され、パター立て管（１３）が挿入される固定具（１１）の挿入穴（９）には掛止突条（１０）が形成され、パター立て管（１３）を引いて上げたり押えて下げたりして、掛止突条（１０）と掛止凹部（１２）の結合によって段階的に固定する構造である。
【００１５】
このように適切な高さでパター立て管（１３）を押えたり引いたりして固定して、上記パター立て管（１３）にパター（８）を差し込んで収納すると、図１に図示されたようにパター（８）のヘッドはウッド（６）のヘッドとアイアン（７）のヘッドの間の空間に位置するようになる。
【００１６】
従って、アイアン（７）でもウッド（６）のヘッドが位置する空間を避けるようになって広い空間部にパター（８）のヘッドが位置するようになって、空間を効率的に使うことができ、ヘッド同士の衝突が防がれるので、ヘッドの損傷とか騒音が防止できて、ゴルフクラブの耐久寿命が延びる長所があることになる。
もちろん、パター立て管（１３）はポリウレタンとかその他弾性を有する軟性素材を使ってパター（８）及びその他ゴルフクラブを保護することができ、パター立て管（１３）の両端部に掛止突条顎（１７）が形成されているから、高低を調節するために手で押えたり除いたり等の動作でも容易に固定具（１１）から離脱されなくなる。
【００１７】
それから、ゴルフバッグ（１００）だけの収納を容易にして、ゴルフバッグ（１００）の製造の後流通にあっては包装と管理のためにパター立て管（１３）を図２に図示したように完全に内部に降ろして使えば非常に有用である。
【００１８】
上記のように固定式のパター専用立て（５０）以外に既存の既製造されたゴルフバッグ（１００）にも簡単に設けて使える脱着式であるパター専用立て（５０）の実施例も可能であるが、これは図５と図６に図示されていて、この作用を下記に説明する。
【００１９】
即ち、図５に図示されたように固定具（１１）に固定クリップ（１６）が一切で設置された構造に特徴があるが、上記固定クリップ(１６）が図６に図示されたように既存のゴルフバッグ（１００）を構成する区画壁（５）を圧持して固定具（１１）を固定設ける方式であり、これは必要により簡単に着脱できる構造的な特徴を持つ。
【００２０】
従って、既存に製造され流通されて使用されるゴルフバッグ（１００）にもパター専用立て（５０）を装着して使えるようになり、パター立て管（１３）の使用方法は上記の固定式のものと同様である。
【発明の効果】
【００２１】
以上説明したように本発明は上部基台（１）に区画された収納空間の一部に簡単に固定して使用されるパター専用立て（５０）によってパター（８）のヘッド高さを適切に調節してウッド（６）もアイアン（７）のヘッドが位置していなかった空いた空間に位置されるようにすることで、ゴルフバッグ（１００）の収納空間を効率的に分割して多い方のゴルフクラブをゆったりと受納して使うことだけでなくて、特にパター（８）とアイアン（７）のヘッド同士の衝突を防ぎヘッドの損傷と騒音を防ぐことができるからゴルフクラブの耐久寿命を延ばすことができる等その效果が非常に大きい。
【図面の簡単な説明】
【００２２】
【図１】は本発明のゴルフバッグに装着されたパター専用立てにパターが収納された状態の例示断面図
【図２】は本発明のパター専用立てがゴルフバッグの内部に引入された状態の断面図
【図３】は本発明のパター専用立てがゴルフバッグに組立される状態を説明した展開斜視図
【図４】は本発明のパター専用立ての設置状態を表した詳細断面図
【図５】は本発明のパター専用立ての他の例示斜視図
【図６】は図５の実施例がゴルフバッグに設置された状態の断面図
【符号の説明】
【００２３】
１  上部基台
２  下部基台
３  本体フレーム
４  外部カバー
５  区画壁
６  ウッド
７  アイアン
８  パター
９  挿入穴
１０  掛止突条
１１  固定具               
１２  掛止凹部
１３  パター立て管
１４  締結穴
１５  締結具
１６  固定クリップ
１７  掛止突条顎
５０  パター専用立て
１００ ゴルフバッグ
【図１】
2007236487.tif 000003
【図２】
2007236487.tif 000004
【図３】
2007236487.tif 000005
【図４】
2007236487.tif 000006
【図５】
2007236487.tif 000007
【図６】
2007236487.tif 000008